(57)【要約】【課題】合紙を挿入する機能を備える印刷装置であって、合紙が紙切れを起こした場合等におけるユーザー利便性を向上することのできる印刷装置、等を提供する。【解決手段】合紙挿入機能を有する印刷装置が、複数の給紙口と、給紙口から給紙した用紙に対して印刷を行う印刷機構と、前記印刷機構を制御する制御部と、を有し、前記印刷機構が、合紙給紙用の給紙口から合紙を給紙しようとしたときに、当該合紙給紙用の給紙口に合紙が無い場合、前記制御部は、印刷対象データの印刷に用いられた用紙の用紙種別と、給紙口の設定と、に基づいて、前記合紙給紙用の給紙口と異なる給紙口を新規の合紙給紙用の給紙口として選択する。【選択図】  図１
2019025705.tif 000002
【特許請求の範囲】
【請求項１】
合紙挿入機能を有する印刷装置であって、
複数の給紙口と、
給紙口から給紙した用紙に対して印刷を行う印刷機構と、
前記印刷機構を制御する制御部と、を有し、
前記印刷機構が、合紙給紙用の給紙口から合紙を給紙しようとしたときに、当該合紙給紙用の給紙口に合紙が無い場合、前記制御部は、印刷対象データの印刷に用いられた用紙の用紙種別と、給紙口の設定と、に基づいて、前記合紙給紙用の給紙口と異なる給紙口を新規の合紙給紙用の給紙口として選択する
ことを特徴とする印刷装置。
【請求項２】
請求項１において、
給紙口には、用紙サイズが対応付けて設定されており、
前記制御部は、印刷対象データの印刷に用いられた用紙の用紙サイズに対応する給紙口を新規の合紙給紙用の給紙口として他の給紙口に優先して選択する
ことを特徴とする印刷装置。
【請求項３】
請求項１において、
給紙口には、用紙サイズ及び給紙方向が対応付けて設定されており、
前記制御部は、印刷対象データの印刷に用いられた用紙の用紙サイズ及び給紙方向に対応する給紙口を新規の合紙給紙用の給紙口として他の給紙口に優先して選択する
ことを特徴とする印刷装置。
【請求項４】
請求項３において、
前記制御部は、印刷対象データの印刷に用いられた用紙の用紙サイズ及び給紙方向に対応する給紙口が有るか否かを判別し、給紙口が有ると判別した場合、当該給紙口を新規の合紙給紙用の給紙口として他の給紙口に優先して選択し、給紙口が無いと判別した場合、印刷対象データの印刷に用いられた用紙の用紙サイズに対応する給紙口を新規の合紙給紙用の給紙口として他の給紙口に優先して選択する
ことを特徴とする印刷装置。
【請求項５】
請求項１において、
給紙口には、紙質が対応付けて設定されており、
前記制御部は、前記合紙給紙用の給紙口から無くなった合紙の紙質が色付き紙である場合、色付き紙に対応する給紙口を新規の合紙給紙用の給紙口として他の給紙口に優先して選択する
ことを特徴とする印刷装置。
【請求項６】
請求項１において、
給紙口には、給紙口自動選択の対象か否かを示す情報が対応付けて設定されており、
前記制御部は、印刷ジョブに給紙口自動選択が設定されている場合、給紙口自動選択の対象である給紙口を新規の合紙給紙用の給紙口として他の給紙口に優先して選択する
ことを特徴とする印刷装置。
【請求項７】
請求項１において、
給紙口には、紙質が対応付けて設定されており、
前記制御部は、普通紙又は再生紙に対応する給紙口を新規の合紙給紙用の給紙口として他の給紙口に優先して選択する
ことを特徴とする印刷装置。
【請求項８】
請求項７において、
前記制御部は、印刷対象データの印刷に用いられた用紙がＯＨＰ用紙である場合、普通紙又は再生紙に対応する給紙口を新規の合紙給紙用の給紙口として他の給紙口に優先して選択する
ことを特徴とする印刷装置。
【請求項９】
請求項１において、
給紙口には、用紙サイズが対応付けて設定されており、
前記制御部は、印刷対象データの印刷に用いられた用紙がＯＨＰ用紙である場合、前記ＯＨＰ用紙の用紙サイズに対応する給紙口が有るか否かを判別し、給紙口が有ると判別した場合、前記ＯＨＰ用紙の用紙サイズに対応する給紙口を新規の合紙給紙用の給紙口として他の給紙口に優先して選択し、給紙口が無いと判別した場合、前記ＯＨＰ用紙の用紙サイズより大きい用紙サイズに対応する給紙口が有るか否かを判別し、給紙口が有ると判別した場合、前記ＯＨＰ用紙の用紙サイズより大きい用紙サイズに対応する給紙口を新規の合紙給紙用の給紙口として他の給紙口に優先して選択する
ことを特徴とする印刷装置。
【請求項１０】
請求項１において、
前記制御部は、印刷対象データの印刷に用いられた用紙がＯＨＰ用紙である場合、印刷対象データの印刷に用いられた用紙が前記ＯＨＰ用紙以外の用紙である場合に合紙給紙用の給紙口を選択するルールとは異なるルールに基づいて、新規の合紙給紙用の給紙口を選択する
ことを特徴とする印刷装置。
【請求項１１】
複数の給紙口を備え合紙挿入機能を有する印刷装置を制御する印刷制御装置であって、
前記印刷装置に対応する印刷設定画面に設定されている用紙種別であって印刷対象データの印刷に用いる用紙の用紙種別に基づいて、前記印刷設定画面における合紙用の給紙口の選択を制御する
ことを特徴とする印刷制御装置。
【請求項１２】
請求項１１において、
前記印刷設定画面に設定されている用紙サイズであって印刷対象データの印刷に用いる用紙の用紙サイズと異なる用紙サイズの用紙を給紙する給紙口が、合紙用の給紙口として選択されないように、前記印刷設定画面における合紙用の給紙口の選択を制御する
ことを特徴とする印刷制御装置。
【請求項１３】
請求項１１において、
前記印刷設定画面に設定されている給紙方向であって印刷対象データの印刷に用いる用紙の給紙方向と異なる給紙方向の用紙を給紙する給紙口が、合紙用の給紙口として選択されないように、前記印刷設定画面における合紙用の給紙口の選択を制御する
ことを特徴とする印刷制御装置。
【請求項１４】
請求項１１において、
前記印刷設定画面に設定されている用紙サイズであって印刷対象データの印刷に用いる用紙の用紙サイズと、前記印刷設定画面において選択された合紙用の給紙口が給紙する用紙の用紙サイズと、が異なる場合、合紙用の給紙口として選択された給紙口を、前記印刷設定画面に設定されている用紙サイズであって印刷対象データの印刷に用いる用紙の用紙サイズと一致する用紙サイズの用紙を給紙する給紙口に変更する
ことを特徴とする印刷制御装置。
【請求項１５】
請求項１１において、
前記印刷設定画面に設定されている給紙方向であって印刷対象データの印刷に用いる用紙の給紙方向と、前記印刷設定画面において選択された合紙用の給紙口が給紙する用紙の給紙方向と、が異なる場合、合紙用の給紙口として選択された給紙口を、前記印刷設定画面に設定されている用紙サイズであって印刷対象データの印刷に用いる用紙の給紙方向と一致する給紙方向の用紙を給紙する給紙口に変更する
ことを特徴とする印刷制御装置。
【請求項１６】
請求項１１において、
前記印刷設定画面に設定されている用紙サイズであって印刷対象データの印刷に用いる用紙の用紙サイズと、前記印刷設定画面において選択された合紙用の給紙口が給紙する用紙の用紙サイズと、が異なる場合、印刷対象データの印刷に用いる用紙の用紙サイズと、前記選択された合紙用の給紙口が給紙する用紙の用紙サイズと、が整合しない旨のメッセージを表示する
ことを特徴とする印刷制御装置。
【請求項１７】
請求項１１において、
前記印刷設定画面に設定されている給紙方向であって印刷対象データの印刷に用いる用紙の給紙方向と、前記印刷設定画面において選択された合紙用の給紙口が給紙する用紙の給紙方向と、が異なる場合、印刷対象データの印刷に用いる用紙の給紙方向と、前記選択された合紙用の給紙口が給紙する用紙の給紙方向と、が整合しない旨のメッセージを表示する
ことを特徴とする印刷制御装置。
【請求項１８】
請求項１１において、
前記印刷設定画面に設定されている用紙種別であって印刷対象データの印刷に用いる用紙の用紙種別と、前記印刷設定画面において選択された合紙用の給紙口が給紙する用紙の用紙種別と、が異なる場合、前記印刷設定画面において給紙口自動に設定されているか否かを判別し、給紙口自動に設定されていると判別した場合、印刷対象データの印刷に用いる用紙の用紙種別を、前記選択された合紙用の給紙口が給紙する用紙の用紙種別と整合する用紙種別に変更する
ことを特徴とする印刷制御装置。
【請求項１９】
複数の給紙口と、給紙口から給紙した用紙に対して印刷を行う印刷機構と、を備え、合紙挿入機能を有する印刷装置を制御する制御方法であって、
前記印刷機構に、合紙給紙用の給紙口から合紙を給紙させようとしたときに、当該合紙給紙用の給紙口に合紙が無い場合、印刷対象データの印刷に用いられた用紙の用紙種別と、給紙口の設定と、に基づいて、前記合紙給紙用の給紙口と異なる給紙口を新規の合紙給紙用の給紙口として選択する
ことを特徴とする制御方法。
【発明の詳細な説明】
【技術分野】
【０００１】
本発明は、合紙を挿入する機能を備える印刷装置等に関し、特に、合紙が紙切れを起こした場合等におけるユーザー利便性を向上することのできる印刷装置等に関する。
【背景技術】
【０００２】
従来、印刷ジョブ間等に合紙を挿入する機能を備える印刷装置が普及している。
【０００３】
下記特許文献１には、同一ユーザーの異なるジョブ間に合紙を挿入できないと不便であることに鑑み、特定の条件が満たされた場合に、同一ユーザーの異なるジョブ間に合紙を挿入することが記載されている。
【先行技術文献】
【特許文献】
【０００４】
【特許文献１】特開２０１４−１３３３２８号公報
【発明の概要】
【発明が解決しようとする課題】
【０００５】
ところで、合紙を挿入する機能を用いた印刷の途中に合紙が紙切れになった場合や、合紙を給紙する給紙口をユーザーが指定する場合において、よりユーザー利便性の良い制御が望まれる。
【０００６】
そこで、本発明の目的は、合紙を挿入する機能を備える印刷装置であって、合紙が紙切れを起こした場合等におけるユーザー利便性を向上することのできる印刷装置、等を提供することである。
【課題を解決するための手段】
【０００７】
上記の目的を達成するために、本発明の一つの側面は、合紙挿入機能を有する印刷装置が、複数の給紙口と、給紙口から給紙した用紙に対して印刷を行う印刷機構と、前記印刷機構を制御する制御部と、を有し、前記印刷機構が、合紙給紙用の給紙口から合紙を給紙しようとしたときに、当該合紙給紙用の給紙口に合紙が無い場合、前記制御部は、印刷対象データの印刷に用いられた用紙の用紙種別と、給紙口の設定と、に基づいて、前記合紙給紙用の給紙口と異なる給紙口を新規の合紙給紙用の給紙口として選択する、ことである。
【０００８】
更に、上記発明において、その好ましい一つの態様は、給紙口には、用紙サイズが対応付けて設定されており、前記制御部は、印刷対象データの印刷に用いられた用紙の用紙サイズに対応する給紙口を新規の合紙給紙用の給紙口として他の給紙口に優先して選択することを特徴とする。
【０００９】
更に、上記発明において、その好ましい一つの態様は、給紙口には、用紙サイズ及び給紙方向が対応付けて設定されており、前記制御部は、印刷対象データの印刷に用いられた用紙の用紙サイズ及び給紙方向に対応する給紙口を新規の合紙給紙用の給紙口として他の給紙口に優先して選択する、ことを特徴とする。
【００１０】
更に、上記発明において、その好ましい一つの態様は、前記制御部は、印刷対象データの印刷に用いられた用紙の用紙サイズ及び給紙方向に対応する給紙口が有るか否かを判別し、給紙口が有ると判別した場合、当該給紙口を新規の合紙給紙用の給紙口として他の給
紙口に優先して選択し、給紙口が無いと判別した場合、印刷対象データの印刷に用いられた用紙の用紙サイズに対応する給紙口を新規の合紙給紙用の給紙口として他の給紙口に優先して選択する、ことを特徴とする。
【００１１】
更に、上記発明において、その好ましい一つの態様は、給紙口には、紙質が対応付けて設定されており、前記制御部は、前記合紙給紙用の給紙口から無くなった合紙の紙質が色付き紙である場合、色付き紙に対応する給紙口を新規の合紙給紙用の給紙口として他の給紙口に優先して選択する、ことを特徴とする。
【００１２】
更に、上記発明において、その好ましい一つの態様は、給紙口には、給紙口自動選択の対象か否かを示す情報が対応付けて設定されており、前記制御部は、印刷ジョブに給紙口自動選択が設定されている場合、給紙口自動選択の対象である給紙口を新規の合紙給紙用の給紙口として他の給紙口に優先して選択する、ことを特徴とする。
【００１３】
更に、上記発明において、その好ましい一つの態様は、給紙口には、紙質が対応付けて設定されており、前記制御部は、普通紙又は再生紙に対応する給紙口を新規の合紙給紙用の給紙口として他の給紙口に優先して選択する、ことを特徴とする。
【００１４】
更に、上記発明において、その好ましい一つの態様は、前記制御部は、印刷対象データの印刷に用いられた用紙がＯＨＰ用紙である場合、普通紙又は再生紙に対応する給紙口を新規の合紙給紙用の給紙口として他の給紙口に優先して選択する、ことを特徴とする。
【００１５】
更に、上記発明において、その好ましい一つの態様は、給紙口には、用紙サイズが対応付けて設定されており、前記制御部は、印刷対象データの印刷に用いられた用紙がＯＨＰ用紙である場合、前記ＯＨＰ用紙の用紙サイズに対応する給紙口が有るか否かを判別し、給紙口が有ると判別した場合、前記ＯＨＰ用紙の用紙サイズに対応する給紙口を新規の合紙給紙用の給紙口として他の給紙口に優先して選択し、給紙口が無いと判別した場合、前記ＯＨＰ用紙の用紙サイズより大きい用紙サイズに対応する給紙口が有るか否かを判別し、給紙口が有ると判別した場合、前記ＯＨＰ用紙の用紙サイズより大きい用紙サイズに対応する給紙口を新規の合紙給紙用の給紙口として他の給紙口に優先して選択する、ことを特徴とする。
【００１６】
更に、上記発明において、その好ましい一つの態様は、前記制御部は、印刷対象データの印刷に用いられた用紙がＯＨＰ用紙である場合、印刷対象データの印刷に用いられた用紙が前記ＯＨＰ用紙以外の用紙である場合に合紙給紙用の給紙口を選択するルールとは異なるルールに基づいて、新規の合紙給紙用の給紙口を選択する、ことを特徴とする。
【００１７】
上記の目的を達成するために、本発明の別の側面は、複数の給紙口を備え合紙挿入機能を有する印刷装置を制御する印刷制御装置が、前記印刷装置に対応する印刷設定画面に設定されている用紙種別であって印刷対象データの印刷に用いる用紙の用紙種別に基づいて、前記印刷設定画面における合紙用の給紙口の選択を制御する、ことである。
【００１８】
更に、上記発明において、その好ましい一つの態様は、前記印刷設定画面に設定されている用紙サイズであって印刷対象データの印刷に用いる用紙の用紙サイズと異なる用紙サイズの用紙を給紙する給紙口が、合紙用の給紙口として選択されないように、前記印刷設定画面における合紙用の給紙口の選択を制御する、ことを特徴とする。
【００１９】
更に、上記発明において、その好ましい一つの態様は、前記印刷設定画面に設定されている給紙方向であって印刷対象データの印刷に用いる用紙の給紙方向と異なる給紙方向の用紙を給紙する給紙口が、合紙用の給紙口として選択されないように、前記印刷設定画面
における合紙用の給紙口の選択を制御する、ことを特徴とする。
【００２０】
更に、上記発明において、その好ましい一つの態様は、前記印刷設定画面に設定されている用紙サイズであって印刷対象データの印刷に用いる用紙の用紙サイズと、前記印刷設定画面において選択された合紙用の給紙口が給紙する用紙の用紙サイズと、が異なる場合、合紙用の給紙口として選択された給紙口を、前記印刷設定画面に設定されている用紙サイズであって印刷対象データの印刷に用いる用紙の用紙サイズと一致する用紙サイズの用紙を給紙する給紙口に変更する、ことを特徴とする。
【００２１】
更に、上記発明において、その好ましい一つの態様は、前記印刷設定画面に設定されている給紙方向であって印刷対象データの印刷に用いる用紙の給紙方向と、前記印刷設定画面において選択された合紙用の給紙口が給紙する用紙の給紙方向と、が異なる場合、合紙用の給紙口として選択された給紙口を、前記印刷設定画面に設定されている用紙サイズであって印刷対象データの印刷に用いる用紙の給紙方向と一致する給紙方向の用紙を給紙する給紙口に変更する、ことを特徴とする。
【００２２】
更に、上記発明において、その好ましい一つの態様は、前記印刷設定画面に設定されている用紙サイズであって印刷対象データの印刷に用いる用紙の用紙サイズと、前記印刷設定画面において選択された合紙用の給紙口が給紙する用紙の用紙サイズと、が異なる場合、印刷対象データの印刷に用いる用紙の用紙サイズと、前記選択された合紙用の給紙口が給紙する用紙の用紙サイズと、が整合しない旨のメッセージを表示する、ことを特徴とする。
【００２３】
更に、上記発明において、その好ましい一つの態様は、前記印刷設定画面に設定されている給紙方向であって印刷対象データの印刷に用いる用紙の給紙方向と、前記印刷設定画面において選択された合紙用の給紙口が給紙する用紙の給紙方向と、が異なる場合、印刷対象データの印刷に用いる用紙の給紙方向と、前記選択された合紙用の給紙口が給紙する用紙の給紙方向と、が整合しない旨のメッセージを表示する、ことを特徴とする。
【００２４】
更に、上記発明において、その好ましい一つの態様は、前記印刷設定画面に設定されている用紙種別であって印刷対象データの印刷に用いる用紙の用紙種別と、前記印刷設定画面において選択された合紙用の給紙口が給紙する用紙の用紙種別と、が異なる場合、前記印刷設定画面において給紙口自動に設定されているか否かを判別し、給紙口自動に設定されていると判別した場合、印刷対象データの印刷に用いる用紙の用紙種別を、前記選択された合紙用の給紙口が給紙する用紙の用紙種別と整合する用紙種別に変更する、ことを特徴とする。
【００２５】
上記の目的を達成するために、本発明の更に別の側面は、複数の給紙口と、給紙口から給紙した用紙に対して印刷を行う印刷機構と、を備え、合紙挿入機能を有する印刷装置を制御する制御方法において、前記印刷機構に、合紙給紙用の給紙口から合紙を給紙させようとしたときに、当該合紙給紙用の給紙口に合紙が無い場合、印刷対象データの印刷に用いられた用紙の用紙種別と、給紙口の設定と、に基づいて、前記合紙給紙用の給紙口と異なる給紙口を新規の合紙給紙用の給紙口として選択する、ことである。 
【００２６】
本発明の更なる目的及び、特徴は、以下に説明する発明の実施の形態から明らかになる。
【図面の簡単な説明】
【００２７】
【図１】本発明を適用した印刷装置の実施の形態例に係る概略構成図である。
【図２】合紙の紙切れが発生した際の処理手順を例示したフローチャートである。
【図３】合紙の設定画面の表示制御の手順を例示したフローチャートである。
【図４】合紙の設定画面の一例を示す図である。
【発明を実施するための形態】
【００２８】
以下、図面を参照して本発明の実施の形態例を説明する。しかしながら、かかる実施の形態例が、本発明の技術的範囲を限定するものではない。なお、図において、同一又は類似のものには同一の参照番号又は参照記号を付して説明する。
【００２９】
図１は、本発明を適用した印刷装置の実施の形態例に係る概略構成図である。図１に示すプリンター２が本発明を適用した印刷装置であり、本プリンター２は、合紙を挿入する機能を備え、当該機能を用いた印刷の途中で、合紙が紙切れを起こした際には、印刷ジョブで使用される用紙種別と合紙で使用される用紙種別に基づいて、代替の合紙用給紙口２４を選択する。また、ホストコンピューター１又はプリンター２において、ユーザーが合紙用の給紙口２４（給紙装置、用紙カセット３）を設定する際には、印刷ジョブに設定されている用紙種別に基づいて、合紙用給紙口２４の選択が制御される。これらの処理により、合紙が紙切れになった場合、合紙の給紙口２４をユーザーが設定する場合等において、ユーザー利便性を向上させることができる。
【００３０】
なお、用紙種別とは、プリンター２が印刷を行う印刷媒体（用紙）の種類であり、少なくとも、用紙のサイズ（用紙サイズ）、用紙の給紙方向、及び、用紙の紙種の項目を含んでいる。また、印刷ジョブとは、ここでは、合紙の挿入によって区切られる印刷対象の本文（印刷対象データ）を指すこととする。
【００３１】
図１に示すように、プリンター２は、ホストコンピューター１等のホスト装置からの印刷要求、又は、プリンター２に対する操作に従い、用紙に対して印刷を実行する、例えば、インクジェットプリンターである。プリンター２は、印刷ジョブの間に合紙を挿入する機能を備える。
【００３２】
ホストコンピューター１は、プリンター２と通信可能に接続され、ユーザー操作等に基づきプリンター２に対して印刷要求を行う。ホストコンピューター１は、パーソナルコンピューター等で構成され、図示していないＣＰＵ、ＲＡＭ、ＲＯＭ、ＨＤＤ、表示装置、操作装置、通信インターフェース等を備える。
【００３３】
ホストコンピューター１は、機能構成として、図１に示すように、ドライバー部１１を備える。ドライバー部１１は、印刷対象の図形や文字を生成するアプリケーション（図示せず）等からの指示に基づいて、プリンター２用の印刷データを生成し、当該印刷データをプリンター２へ送信する。
【００３４】
ドライバー部１１（印刷制御装置）は、印刷を行う際の印刷条件等について各種の設定情報を印刷データに含めるが、その設定のための設定画面をユーザーインターフェースとして提供する。当該設定画面は、ホストコンピューター１の表示部に表示され、それに基づいてユーザーが設定情報を入力（選択）することができる。
【００３５】
この設定情報には、印刷ジョブ及び合紙に使用する用紙に関する情報が含まれる。具体的には、「給紙口」、「用紙サイズ」、「給紙方向」、及び、「紙質」の情報が含まれる。「給紙口」は、プリンター２が備える複数の給紙口２４のうちのどの給紙口２４から給紙するかを指定する項目であり、「用紙サイズ」は、印刷に使用する用紙のサイズ（Ａ４、Ａ３等）を指定する項目であり、「給紙方向」は、用紙を給紙及び排紙する際の用紙の向き（タテ又はヨコ、ここでは、排紙方向と同じ）を指定する項目であり、「紙質」は、用紙の材質による種別（普通紙、再生紙等）を指定する項目である。
【００３６】
なお、「給紙口」については、“給紙口自動”と設定することができ、このように設定されている場合には、プリンター２側で、他の設定内容に基づいて適切な給紙口２４を選択する。
【００３７】
なお、ドライバー部１１は、プリンター２用のドライバープログラム、当該プログラムに従って動作するＣＰＵ、ＲＡＭ等によって構成される。
【００３８】
プリンター２は、図１に示されるように、制御部２１、印刷機構２２、操作パネル２３、給紙口２４、搬送路２５、及び、記憶部２６等を備える。制御部２１は、プリンター２の各部を制御するコントローラーであり、ハードウェア構成としては、ＣＰＵ、ＲＡＭ、ＲＯＭ、ＮＶＲＡＭ、ＡＳＩＣ（Application Specific Integrated Circuit）等を備える。
【００３９】
制御部２１（印刷制御装置）は、ホストコンピューター１から印刷データを受信した際等印刷要求を受けると、印刷機構２２を制御して、その印刷ジョブに設定されている内容に応じた印刷条件で、印刷対象の画像を用紙に印刷する。使用する用紙に関しては、制御部２１は、上述した「給紙口」、「用紙サイズ」、「給紙方向」、及び「紙質」の設定内容に基づいて、適切な給紙口２４を選択（決定）し、そこから給紙して印刷を行う。
【００４０】
また、上述のように、プリンター２では、合紙の挿入を含む印刷要求を受けた場合には、その合紙が紙切れのエラーを起こした際に、印刷ジョブに設定された用紙種別と合紙に設定された用紙種別に基づいて、合紙の代替の給紙口２４を決定（選択）する。また、操作パネル２３においてユーザーが合紙の設定を行う場合に、印刷ジョブに設定された用紙種別に基づいて表示及び設定の制御を行う。
【００４１】
なお、これら制御部２１が行う処理は、当該処理を指示するプログラム、当該プログラムに従って動作するＣＰＵ、プログラムを格納するＲＯＭ、ＲＡＭ、ＮＶＲＡＭ等が協働して動作することにより実行される。
【００４２】
印刷機構２２は、制御部２１の指示に従って用紙等（印刷媒体）に印刷を行う。印刷機構２２は、図１に示されるように、印刷部２２１及び搬送部２２２等を備える。また、プリンター２は、複数の給紙口２４及び搬送路２５を備える。
【００４３】
給紙口２４は、本実施の形態例では、３つ備えられ（２４Ａ、２４Ｂ、２４Ｃ）、それぞれに、各種の用紙を収容する用紙カセット３（３Ａ、３Ｂ、３Ｃ）が挿入される。印刷時には、いずれかの給紙口２４から給紙され、給紙された用紙は搬送路２５に沿って搬送される。
【００４４】
搬送部２２２は、搬送ローラーと、その駆動源及び伝動装置等を備え、給紙口２４から給紙された用紙を印刷位置まで搬送し、その後、印刷後の用紙を搬送して排紙する。
【００４５】
印刷部２２２は、印刷位置に搬送された用紙に対して印刷を実行する。印刷部２２２は、本実施の形態例では、インクを吐出するノズルを複数備えた印刷ヘッド、印刷ヘッドを搭載して副走査方向に移動するキャリッジ等を備える。
【００４６】
操作パネル２３は、プリンター２のユーザーインターフェースであり、表示モニター、操作ボタン等を備える。操作パネル２３は、制御部２１の制御により、表示モニターを介して設定画面をユーザーに表示し、操作ボタンに対する操作によりユーザーに設定された情報を入力する。
【００４７】
記憶部２６は、給紙口２４Ａ〜Ｃのそれぞれと、少なくとも、用紙サイズ、給紙方向、及び、紙質のいずれか一つとを対応付けた情報を記憶する。また、記憶部２６は、給紙口２４Ａ〜Ｃそれぞれが給紙口自動選択の対象であるか否かを示す情報を記憶する。なお、記憶部２６は、不揮発性のメモリー等で構成される。また、ユーザーは、ホストコンピューター１の表示装置や、プリンター２の操作パネル２３を操作して、用紙サイズ等を給紙口２４Ａ〜Ｃに対応付ける設定を行うことができる。なお、印刷開始前にユーザーが予め上記設定を行っても良いが、設定タイミングはこれに限定されず、任意のタイミングであって良い。
【００４８】
以上説明したような構成を備える本実施の形態例に係るホストコンピューター１及びプリンター２では、合紙を挿入する印刷の指示がなされると、まず、ドライバー部１１が、上述した設定情報を含む印刷データを生成してプリンター２へ送信し、プリンター２が、その印刷データを解釈し、設定情報に適した印刷条件で印刷処理を実行する。
【００４９】
かかる処理の過程において、本プリンター２では、合紙が紙切れを起こした際、及び、ユーザーが合紙についての設定を行う際の処理に特徴があり、以下、その具体的な処理内容について説明する。
【００５０】
まず、プリンター２が合紙を挿入する機能を用いた印刷データを受信し、その印刷中に、合紙が紙切れを起こした際の処理について説明する。図２は、合紙の紙切れが発生した際の処理手順を例示したフローチャートである。
【００５１】
まず、制御部２１は、合紙を給紙していた給紙口２４において紙切れが発生したことを検知すると、実行中であった印刷を一時中断する（図２のステップＳ１）。そして、制御部２１は、合紙が紙切れである旨のメッセージを操作パネル２３及びホストコンピューター１の表示装置に表示する（図２のステップＳ２）。
【００５２】
その後、制御部２１は、合紙の給紙を代替の給紙口２４から行うための処理を実行するが、処理中の印刷ジョブがＯＨＰ用紙を用いて行うものであるか否かによって、処理の内容を変える。
【００５３】
印刷ジョブがＯＨＰ用紙に印刷処理を行うものである場合には（図２のステップＳ３のＹｅｓ）、制御部２１、そのＯＨＰ用紙の用紙サイズ（当該印刷ジョブに使用されている用紙の用紙サイズ）と一致する用紙サイズの用紙を給紙する給紙口２４があるか否かを判断する（図２のステップＳ４）。
【００５４】
当該判断の結果、一致する用紙サイズの用紙を給紙する給紙口２４があると判断された場合には（図２のステップＳ４のＹｅｓ）、制御部２１は、該当する給紙口２４を選択する（図２のステップＳ６）。その後、処理はステップＳ１５へ移行する。
【００５５】
一方、上記判断の結果、一致する用紙サイズの用紙を給紙する給紙口２４がないと判断された場合には（図２のステップＳ４のＮｏ）、制御部２１は、ＯＨＰ用紙の用紙サイズよりも大きい用紙サイズの用紙を給紙する給紙口２４があるか否かを判断する（図２のステップＳ５）。
【００５６】
その結果、ＯＨＰ用紙の用紙サイズよりも大きい用紙サイズの用紙を給紙する給紙口２４があると判断された場合には（図２のステップＳ５のＹｅｓ）、該当する給紙口２４を選択する（図２のステップＳ７）。その後、処理はステップＳ１５へ移行する。一方、ＯＨＰ用紙の用紙サイズよりも大きい用紙サイズの用紙を給紙する給紙口２４がないと判断
された場合には（図２のステップＳ５のＮｏ）、処理は、ステップＳ２０へ移行する。
【００５７】
次に、ステップＳ３に戻り、印刷ジョブがＯＨＰ用紙を用いるものでない場合には（図２のステップＳ３のＮｏ）、当該印刷ジョブに使用されている用紙の用紙サイズ及び給紙方向と一致する用紙サイズ及び給紙方向の用紙を給紙する給紙口２４があるか否かを判断する（図２のステップＳ８）。
【００５８】
当該判断の結果、一致する用紙サイズ及び給紙方向の用紙を給紙する給紙口２４があると判断された場合には（図２のステップＳ８のＹｅｓ）、制御部２１は、該当する給紙口２４を選択する（図２のステップＳ６）。その後、処理はステップＳ１２へ移行する。
【００５９】
一方、上記判断の結果、一致する用紙サイズ及び給紙方向の用紙を給紙する給紙口２４がないと判断された場合には（図２のステップＳ８のＮｏ）、制御部２１は、印刷ジョブで使用される用紙の用紙サイズと一致する用紙サイズの用紙を給紙する給紙口２４があるか否かを判断する（図２のステップＳ９）。
【００６０】
その結果、一致する用紙サイズの用紙を給紙する給紙口２４があると判断された場合には（図２のステップＳ９のＹｅｓ）、該当する給紙口２４を選択する（図２のステップＳ１１）。その後、処理はステップＳ１２へ移行する。一方、一致する用紙サイズの用紙を給紙する給紙口２４がないと判断された場合には（図２のステップＳ９のＮｏ）、処理は、ステップＳ２０へ移行する。
【００６１】
ステップＳ１２では、制御部２１は、使用されていた合紙が色付き紙であるか否かを判断する（図２のステップＳ１２）。
【００６２】
当該判断の結果、合紙が色付き紙でない場合には（図２のステップＳ１２のＮｏ）、制御部２１は、その時点で選択されている給紙口２４のうち、「給紙口」の設定が“給紙口自動”となっている場合に選択される対象となっている給紙口２４を優先して選択する（図２のステップＳ１３）。そのような給紙口２４が複数あれば、その通り複数選択され、そのような給紙口２４がなければ、当該処理により選択内容は変更されない。その後、処理はステップＳ１５へ移行する。
【００６３】
一方、上記判断の結果、合紙が色付き紙である場合には（図２のステップＳ１２のＹｅｓ）、制御部２１は、その時点で選択されている給紙口２４のうち、色付き紙が給紙される給紙口２４を優先して選択する（図２のステップＳ１４）。そのような給紙口２４が複数あれば、その通り複数選択され、そのような給紙口２４がなければ、当該処理により選択内容は変更されない。その後、処理はステップＳ１５へ移行する。
【００６４】
ステップＳ１５では、制御部２１は、その時点で選択されている給紙口２４のうち、普通紙又は再生紙が給紙される給紙口２４を優先して選択する（図２のステップＳ１５）。そのような給紙口２４が複数あれば、その通り複数選択され、そのような給紙口２４がなければ、当該処理により選択内容は変更されない。
【００６５】
次に、制御部２１は、合紙の給紙口２４を変更するか否かを選択させる画面を表示パネル２３及びホストコンピューター１の表示装置に表示する（図２のステップＳ１６）。当該表示では、変更する給紙口２４から給紙される用紙の用紙種別の内容を表示することが好ましい。
【００６６】
当該画面に対してユーザーが選択操作を実行し、ホストコンピューター１又は操作パネル２３から受信されるその選択結果が、給紙口２４を変更するという選択であれば（図２
のステップＳ１７のＹｅｓ）、制御部２１は、合紙を給紙する給紙口２４をその時点で選択されている給紙口２４に変更する（図２のステップＳ１８）。その時点で選択されている給紙口２４が複数ある場合には、制御部２１は、いずれか一つを選択してその給紙口２４に変更する。
【００６７】
これにより、合紙の代替の給紙口２４が決定されたので、制御部２１は、印刷処理を再開し、合紙が紙切れになった際の処理を終了する。
【００６８】
一方、ユーザーの選択結果が、給紙口２４を変更しないという選択であれば（図２のステップＳ１７のＮｏ）、処理はステップＳ２０に移行する。
【００６９】
ステップＳ２０では、制御部２１は、合紙の補充を促すメッセージをホストコンピューター１及び操作パネル２３に表示する（図２のステップＳ２０）。これにより、合紙が紙切れになった際の処理が終了し、合紙が補充されれば印刷が再開し、ユーザーによりキャンセル操作がなされれば、当該印刷がキャンセルされる。
【００７０】
以上のように、本プリンター２では、合紙の代替給紙口２４の選択において、普通紙又は再生紙を給紙する給紙口２４が優先して選択される。また、印刷ジョブがＯＨＰ用紙を使用するものである場合には、ＯＨＰ用紙と用紙サイズが一致する用紙を給紙する給紙口２４が優先して選択され、そのような給紙口２４がなければ、ＯＨＰ用紙よりも用紙サイズが大きい用紙を給紙する給紙口２４が選択される。また、印刷ジョブがＯＨＰ用紙を使用するものでない場合には、印刷ジョブで使用される用紙と用紙サイズ及び給紙方向が一致する用紙を給紙する給紙口２４が優先して選択され、そのような給紙口２４がない場合には、印刷ジョブで使用される用紙と用紙サイズが一致する用紙を給紙する給紙口２４が選択される。また、合紙が色付き紙である場合には、その色付き紙を給紙する給紙口２４が優先して選択される。
【００７１】
次に、ユーザーが合紙について設定操作を行う際の処理について説明する。図３は、合紙の設定画面の表示制御の手順を例示したフローチャートである。図４は、合紙の設定画面の一例を示す図である。
【００７２】
印刷要求の際に、ユーザーが合紙について設定を行う場合には、ホストコンピューター１の表示装置、あるいは、プリンター２の操作パネル２３の表示モニターに表示される合紙の設定画面（図４のＡ）を用いて行う。当該画面において、ユーザーが、合紙を挿入した印刷を行うべく、「合紙を付ける」のチェックボックス（図４のＢ）にチェックを入れる操作を行うと、ホストコンピューター１のドライバー部１１又はプリンター２の制御部２１は、図３に基づいた処理を実行する。
【００７３】
まず、ドライバー部１１又は制御部２１は、プリンター２の給紙口２４を一つ選択し（図３のステップＳ３１）、そこから給紙される用紙の用紙サイズ及び給紙方向が、印刷ジョブについて設定されている用紙サイズ及び給紙方向と一致するか否かを判定する（図３のステップＳ３２）。
【００７４】
その後、ドライバー部１１又は制御部２１は、その判定結果をＲＡＭ等に記録する（図３のステップＳ３３）。
【００７５】
ドライバー部１１又は制御部２１は、以上の選択（Ｓ３１）、判定（Ｓ３２）、及び記録（Ｓ３３）の処理を、すべての給紙口２４について実行し（図３のステップＳ３４のＮｏ）、上記判定結果の記録に基づいて、そこから給紙される用紙の用紙サイズ及び給紙方向が、印刷ジョブについて設定されている用紙サイズ及び給紙方向と一致しない給紙口２
４については、ユーザーが選択できないように制御する（図３のステップＳ３５）。設定画面においては、ドライバー部１１又は制御部２１は、それらの給紙口２４を選択できない旨の表示に変更する。図４に示す例においては、合紙用の給紙口２４（図４ではトレイ）を選択するプルダウンメニュー（図４のＥ）において、例えば、Ｃで指し示すトレイから給紙される用紙の用紙サイズ及び給紙方向が印刷ジョブの給紙サイズ及び給紙方向と一致しておらず、グレーアウト表示されている。なお、Ｄで指し示すトレイについては、選択可能であり、そこから給紙される用紙の用紙サイズ及び給紙方向は印刷ジョブの用紙サイズ及び給紙方向と一致している。
【００７６】
その後、ドライバー部１１又は制御部２１は、印刷ジョブの用紙サイズ又は給紙方向が変更された場合には（図３のステップＳ３６のＹｅｓ）、ステップＳ３１からの処理を再度実行してユーザーの選択制御を同様に行う。
【００７７】
そして、合紙挿入のチェックボックス（「合紙を付ける」のチェックボックス（図４のＢ））が解除されると（図３のステップＳ３７のＹｅｓ）、当該合紙設定時の選択制御処理を終了する。
【００７８】
なお、合紙設定時の代替の処理として、以下のような処理を行ってもよい。上述のような選択制御を行わない場合において、ユーザーによって選択された合紙用の給紙口２４から給紙される用紙の用紙サイズが、印刷ジョブに設定された用紙サイズと異なる場合には、ドライバー部１１又は制御部２１は、合紙用の給紙口２４を、印刷ジョブの用紙サイズと一致する用紙サイズの用紙を給紙する給紙口２４に変更する。
【００７９】
また、同様に、ユーザーによって選択された合紙用の給紙口２４から給紙される用紙の給紙方向が、印刷ジョブに設定された給紙方向と異なる場合には、ドライバー部１１又は制御部２１は、合紙用の給紙口２４を、印刷ジョブの給紙方向と一致する給紙方向の用紙を給紙する給紙口２４に変更する。
【００８０】
また、別の方法として、上述のような選択制御を行わない場合において、ユーザーによって選択された合紙用の給紙口２４から給紙される用紙の用紙サイズが、印刷ジョブに設定された用紙サイズと異なる場合には、ドライバー部１１又は制御部２１は、その旨のメッセージをユーザーに表示する。
【００８１】
また、同様に、上述のような選択制御を行わない場合において、ユーザーによって選択された合紙用の給紙口２４から給紙される用紙の給紙方向が、印刷ジョブに設定された給紙方向と異なる場合には、ドライバー部１１又は制御部２１は、その旨のメッセージをユーザーに表示する。
【００８２】
また、別の方法として、印刷ジョブの「給紙口」の設定が“給紙口自動”となっており、印刷ジョブに設定されている用紙種別と合紙に設定されている用紙種別が整合しない場合に、ドライバー部１１又は制御部２１は、印刷ジョブの用紙種別を、“給紙口自動”と設定されている場合に選択される対象となっている給紙口２４から給紙される用紙の用紙種別のうち、合紙に設定されている用紙種別と整合する用紙種別に変更する。
【００８３】
なお、変形例として、図２に示されるフローチャートにおいて条件分岐となる判断ステップ（Ｓ３、Ｓ４、Ｓ５、Ｓ８、Ｓ９、Ｓ１２、Ｓ１７）の一部がない処理内容の実施例としてもよい。
【００８４】
以上説明したように、本実施の形態例及び変形例に係るプリンター２では、合紙を挿入する印刷の処理中に合紙が紙切れになった場合、印刷ジョブの用紙種別と合紙の用紙種別
に基づいて、合紙用の代替の給紙口２４を選択する。これにより、適切な合紙により印刷を続行することができ、ユーザー利便性を向上することができる。
【００８５】
さらに、その代替給紙口２４の選択において、合紙の「給紙口」について“給紙口自動”の設定となっている場合には、制御部２１は、“給紙口自動”の設定の際に選択される対象となっている給紙口２４のうち、給紙する用紙の用紙サイズが紙切れした合紙と同じ給紙口２４を優先して選択する。これにより、ユーザーニーズを満たした代替給紙ができる。
【００８６】
また、代替給紙口２４の選択において、普通紙又は再生紙が給紙される給紙口２４の中から、合紙と用紙サイズが一致する用紙サイズの用紙を給紙する給紙口２４が優先して選択される。これにより、支障をきたさない代替給紙が可能となる。
【００８７】
さらに、その場合において、合紙と給紙方向が一致する用紙を供給する給紙口２４が優先して選択される。これにより、さらに支障をきたさない代替給紙が可能となる。
【００８８】
また、上記代替給紙口２４の選択において、合紙が色付き紙である場合には、色付き紙を給紙する給紙口２４が優先して選択される。これにより、ユーザーニーズを満たした代替給紙ができる。
【００８９】
また、印刷ジョブがＯＨＰ用紙を用いる場合には、普通紙又は再生紙が給紙される給紙口２４が優先して選択される。これにより、ＯＨＰ用紙間の貼り付きを安価な合紙で防止でき、代替給紙によるユーザー利便性の向上と共に、ユーザーニーズを満たすことができる。
【００９０】
また、印刷ジョブがＯＨＰ用紙を用いる場合には、印刷ジョブに用いられる用紙の用紙サイズと一致する用紙サイズの用紙が給紙される給紙口２４が、また、そのような給紙口２４がない場合には、印刷ジョブに用いられる用紙の用紙サイズよりも大きい用紙サイズの用紙が給紙される給紙口２４が、優先して選択される。したがって、代替給紙をした場合にも、合紙がＯＨＰ用紙よりも小さくはならないので、ＯＨＰ用紙間の貼り付きを確実に防止できる。
【００９１】
また、印刷ジョブがＯＨＰ用紙を用いる場合には、他の用紙を用いる場合と代替給紙の制御が変更される。これにより、ＯＨＰ用紙の特徴に適合した適切な代替給紙が実行され、ユーザー利便性を向上させることができる。
【００９２】
また、ユーザーが合紙の設定を行う際に、ドライバー部１１又は制御部２１により、印刷ジョブについて設定された用紙種別に基づいて、合紙の給紙口２４の設定が制御される。これにより、印刷ジョブの用紙と整合しない合紙を用いた印刷を未然に防止することができ、ユーザー利便性を向上させることができる。
【００９３】
具体的には、合紙を設定する画面において、印刷ジョブに設定された用紙の用紙サイズ又は給紙方向と整合しない用紙が給紙される給紙口２４は選択できないように制御される。これにより、ユーザーが印刷ジョブに適さない合紙を設定してしまうことを防止できる。
【００９４】
また、代替として、印刷ジョブに設定された用紙の用紙サイズ又は給紙方向と整合しない用紙が給紙される給紙口２４が選択された場合には、整合しない旨のメッセージがユーザーに表示される。これにより、誤った合紙の設定が事前に訂正されることが促される。
【００９５】
本実施の形態例では、ＣＰＵ（プロセッサー）が各処理を実行する例を説明した。
【００９６】
ここで、本明細書において、ＣＰＵは、１又は複数のＣＰＵにより構成されていてもよいし、１又は複数の集積回路（例えば、ＡＳＩＣ）により構成されていてもよい。また、ＣＰＵは、１又は複数のＣＰＵと、１又は複数の集積回路と、の組み合わせにより構成されていてもよい。
【００９７】
本発明の保護範囲は、上記の実施の形態に限定されず、特許請求の範囲に記載された発明とその均等物に及ぶものである。
【符号の説明】
【００９８】
１…ホストコンピューター、２…プリンター、３（３Ａ、３Ｂ、３Ｃ）…用紙カセット、１１…ドライバー部、２１…制御部、２２…印刷機構、２３…操作パネル、２４（２４Ａ、２４Ｂ、２２４Ｃ）…給紙口、２５…搬送路、２６…記憶部、２２１…印刷部、２２２…搬送部。
【図１】
2019025705.tif 000003
【図２】
2019025705.tif 000004
【図３】
2019025705.tif 000005
【図４】
2019025705.tif 000006